(57)【要約】
【課題】アンカー着底位置を確実に把握することができ、かつ、耐用年数を経過した後に、アンカーを除いたシステムのほぼ全体を撤去、回収することが可能な大水深型の中層型浮魚礁を提供する。
【解決手段】大水深の比較的浅い水面下位置に礁体が位置するようにロープを介して礁体をアンカーで係留した形式の中層型浮魚礁であって、アンカーの近傍に、超音波信号によるコマンドで作動する位置検知兼切り離し装置と浮上用浮体を取付けた。
【選択図】図１
0003101433.tif 000002
【実用新案登録請求の範囲】
【請求項１】
大水深の比較的浅い水面下位置に礁体が位置するようにロープを介して礁体をアンカーで係留した形式の中層型浮魚礁であって、アンカーの近傍に、超音波信号によるコマンドで作動する位置検知兼切り離し装置と浮上用浮体を取付けたことを特徴とする中層型浮魚礁。
【請求項２】
アンカーからの下端ロープが連結具を介して位置検知兼切離し装置の開動自在なフックに連結され、位置検知兼切離装置上部が、連結具を介して浮上用浮体とつながる中間ロープに連結されている請求項１に記載の中層型浮魚礁。
【請求項３】
連結具は、ロープ端末を懸回する溝を外面に有する耐食性のシンブルと該シンブルの外側に端部が連結された吊り部体から構成され直結型である請求項２に記載の中層型浮魚礁。
【請求項４】
下端ロープと中間ロープの少なくとも一方に、犠牲陽極型の防食体を介在させている請求項２に記載中層型浮魚礁。
【考案の詳細な説明】
【技術分野】
【０００１】
本考案は大水深で用いられるのに好適な中層型浮魚礁に関する。
【背景技術】
【０００２】
魚礁は、従来では一般に廃船や石塊を海底に沈め、底棲魚を集魚する形式のものであったが、近年では、海面あるいは海面下の中層に浮魚礁を設置することが行われている。
特に近年では、沖を回遊通過するカツオ・マグロ・ブリ等の高級魚群を効果的に集魚、漁獲するため、１０００ｍを超えるような大水深に中層型浮魚礁を設置する事例が増加している。
かかる大水深型中層型浮魚礁は，漁網、ロープ、ＦＲＰ、プラスチック鋼材，アルミ等の素材で構成された一定規模の浮体（礁体と称する）を海面下２０ｍ〜３００ｍ程度の領域にロープで１点係留した構造が採用されている。
【０００３】
こうした大水深型中層型浮魚礁は、設置水深が深いために、設置時にアンカーを作業船から海底まで吊り降ろすことは難しく、礁体と係留索を作業船から海面に繰り出した後、アンカーを海面から投入して自由落下させるしか安全な施工方法がない。
このため、設置位置を、表層型浮魚礁の場合のような魚群探知器などによる音響的な手設で検出することができず、海潮流の方向・速さ等を勘案してアンカー着底位置を推定するしかなく、施工の確実性を検証することが難しかった。
【０００４】
また、環境対策の観点や省資源の観点から、耐用年数を経過した後に、浮魚礁の撤去、回収が要望されているが、水深が１０００ｍを超えるため、アンカーを除いた係留系を海底近傍で切断して系のほぼ全体を回収することが困難であるという問題があった。
【考案の開示】
【考案が解決しようとする課題】
【０００５】
本考案は前記のような問題点を解消するためになされたもので、その目的とするところは、アンカー着底位置を確実に把握することができ、かつ、耐用年数を経過した後に、アンカーを除いたシステムのほぼ全体を撤去、回収することが可能な大水深型の中層型浮魚礁を提供することにある。
【課題を解決するための手段】
【０００６】
上記目的を達成するため本考案は、大水深の比較的浅い水面下位置に礁体が位置するようにロープを介して礁体をアンカーで係留した形式の中層型浮魚礁であって、アンカーの近傍に、超音波信号によるコマンドで作動する位置検知兼切離し装置と浮上用浮体を取付けたことを特徴としている。
【考案の効果】
【０００７】
本考案によれば、位置検出機能付きの切離し装置をアンカー近傍のロープに介在させているので、作業船側からの超音波信号の送受信によりアンカー着底位置を自動的に知ることができ、かつ、要時には、作業船上からの超音波信号によりアンカー近傍で系が自動的に切離され、浮上用浮体の浮力と礁体の余裕浮力を利用して、アンカーを除いた魚礁システムのほぼ全体を回収することが可能となるというすぐれた効果が得られる。
【考案を実施するための最良の形態】
【０００８】
アンカーからの下端ロープが連結具を介して位置検知兼切離し装置の開動自在なフックに連結され、位置検知兼切離し装置の上部が、連結具を介して浮上用浮体とつながる中間ロープに連結されている。
これにより、位置検知兼切離装置に過大な負荷を掛けずにアンカーと連結し、切離し時には確実に海面に浮上させることができる。
【０００９】
連結具は、ロープ端末を懸回する溝を外面に有する耐食性のシンブルと該シンブルの外側に端部が連結された吊り部体から構成された直結型のものを含む。これによれば、連結具が単一の部品で足りるので、係留系が軽量でかつ部品数の少ない簡易なものとなる。
【００１０】
また、本考案は、下端ロープと中間ロープの少なくとも一方に、犠牲陽極型の防食体を介在させているものを含んでいる。これによれば、系全体に異種類の金属が用いられ、また５年ないし１０年以上の長い年月海水中に放置されても、位置検知・切離装置の安全性と確実な作動を期することができる。
【実施例１】
【００１１】
以下添付図面を参照して本考案の実施例を説明する。
図１（ａ）は、本考案による大水深型の中層型浮魚礁の全体を示している。１は礁体であり、漁網、ロープ、ＦＲＰ、プラスチック、鋼材，アルミなどの各種素材を適宜組み合わせて一定規模に構成されている。たとえば、集合フロート部１ａと長円筒状の立体網１ｂなどからなる構造は、好適なものといえる。
２は前記礁体１に連結されこれに浮力を与えるための浮力体であり、礁体１がそれ自体十分な浮力を有している場合には、省略することも可能である。
３は設置水深Ｌ（たとえば１０００〜５０００ｍ）に応じた重量と所望の構造を有するアンカーである。
【００１２】
４は前記アンカー３と浮力体２を結ぶ一点係留系であるが、本考案は、この係留系における前記アンカー３の近傍に、超音波信号を送受信しかつ超音波によるコマンドで作動する位置検知兼切離装置５を、またその直近に回収時浮力用の浮体６をそれぞれ直列状に連結しており、この状態で、礁体１は海面から比較的浅い深さＬ１たとえば２０〜３０ｍの位置に保持されている。
【００１３】
７は作業船であり、これには位置検知兼切離装置５に対して呼出し、距離測定及び切離しのための超音波信号送受信を行なうトランスデューサ９とコンピュータを含む制御器８が配されている。
図１（ｂ）は、経年後に位置検知兼切離装置５が作動され、アンカー３とそれよりも上位の係留系（浮体６＋係留系4’＋浮力体２＋礁体１）とが切り離され、上位の係留系が浮上回収される途中の状態を示してい。
【００１４】
前記位置検知兼切離装置５は、チタンやステンレスなどの耐食金属で密閉されて全体として筒型をなし、下部には開動自在なフック１１と駆動要素１２を含むメカニカルな切離し部(切り離し手段)１０を備え、これよりも上部には、位置検出と切離し作動のための超音波信号の受信と発信を行なうトランスデューサ１９を含む通信部１３を有している。
切離し部１０は、図２のように、容器体１４の下部に剛結したアーム１４０と、一端がピンによってアーム１４０に枢支された傾転可能なフック１１を備えている。
【００１５】
容器体１４には固定ピン１５が摺動可能に配されており、常態において固定ピン１５の先端部が前記フック１１の上端部に設けたロック穴１１０に係合することにより、フック１１は容器体１４と連結されるようになっている。
前記容器体１４には前記固定ピン１５と平行にプランジャ１６が摺動可能に配され、常態において弾性部材１６ａによって上方に付勢されている。
そして、プランジャ１６と固定ピン１５のそれぞれの摺動穴の中間を連通する横穴には、常態において一端がプランジャ１６のランド部に当接し、他端部が固定ピン１５のスプール部に当接するストッパ１７が位置している。
【００１６】
前記プランジャ１６の上位には、駆動要素としてのガス発生器１８が取付けられている。このガス発生器１８は、先端が前記プランジャ１６の上端受圧面に対峙する中空ボルト１８ａに格納されたガス発生剤１８ｂと、これにコードでつながる通電回路からなり、通電回路は図示しない電池に接続されている。
【００１７】
通信部１３は、図１(ａ)のように作業船側の制御器８と超音波系で連絡している。
制御器８は、図３のように、呼び出し、位置検出及び切離しの指令を入力するための指令回路と、この指令信号を受けてデータを変調信号に変換する変調器と、変調信号を電力増幅してトランスデューサ９に送る送信回路と、位置検知兼切離し装置５からの応答超音波信号をトランスデューサ９で受けたときに該超音波信号を電気信号に変換し、指令回路に距離情報として伝えるための復調器を備えており、こうした距離情報とＧＰＳ情報をコンピュータで処理することで位置検知兼切離し装置５の海底での位置すなわちアンカー着底位置を自動的に検出できるようになっている。
【００１８】
位置検知兼切離し装置５の通信部１３は、図４のように、前記トランスデューサ９からの超音波信号を受信して電気信号に変換するトランスデューサ１９及び受信回路と、復調器と、受信した信号が切り離し用か位置検出用かを判別し、前者である場合にのみ前記通電回路に駆動信号を出して切り離し用の電力を与える制御回路とを備えている。
また、受信した信号が位置検出用である場合に、指令データを変調信号に変換する変調器とこれからの信号を増幅してトランスデューサ１９に送る超音波送信回路を備えている。
【００１９】
図５は前記係留系４の下部領域の構成例を示しており、アンカー３につながる２段の下端ロープ４Ａ、４Ｂが連結具７Ａで連結され、上位の下端ロープ４Ｂに連結具７Ｂを介して犠牲陽極型の防食体８が連結され、この防食体８と位置検知兼切離し装置５の前記フック１１が連結具７Ｃを介して連結され、位置検知兼切離し装置５の上部が連結具７Ｄを介して中間ロープ４Ｃに連結され、中間ロープ４Ｃの上端に連結具７Ｅを介して犠牲陽極型の防食体８が連結され、この防食体８が連結具７Ｆを介して浮体６と連結している。浮体６は連結具７Ｇを介してメインロープ４Ｄと連結されている。
【００２０】
前記下端ロープ４Ａ、４Ｂ、中間ロープ４Ｃおよびメインロープ４Ｄはすべてが一種類の素材で構成されていてもよいが、種々の素材の組み合わせが可能であり、テトロン、ポリエステルなどの汎用繊維、アラミド、超高分子量ポリエチレン、ポリアリレートなどの高強度低伸度繊維、ワイヤーなどが選択的に使用される。
繊維ロープの場合、キンクが起こらない編組構造としたり、劣化と付着生物の付きにくい合成樹脂被覆付きにすることが好適である。ワイヤロープも合成樹脂被覆付きとすることが有効である。
連結具７Ａ〜7Ｇは任意であるが、この例ではシャックル７１やリング７４が用いられており、ロープ４Ａ、４Ｃの端末アイ部内側に沿ってシンブルが取付けられている。
【００２１】
防食体８は、図６のように、端部に連結用の穴部８０、８０を設けたＳＳ４００などの鋼材からなる盤８ａに、アルミニウム合金製のアノードブロック８ｂを固定してなる。アノードブロック８ｂは、中央部に板厚を貫通する穴８１を有するとともに、内部に盤上面に接するベースプレート８２を埋め込んでおり、盤８ａの裏面からをボルトを貫通させベースプレート８２上でナットで締め付けることにより一体化している。
【００２２】
図７は他の係留系を示しており、位置検知兼切離し装置５やシンブルを含む連結金具をチタンなどの耐食金属で構成しており、このため防食体８を省略している。
また、図５の例では下端ロープを２本とし、１本のロープ４Ｂをチェーンで構成しているが、図６の例では、下端ロープを１段のロープ４Ａとし、連結具７Ｃによって位置検知兼切離装置５の前記フック１１と連結している。
【００２３】
さらに、係留系の軽量化と簡略化を図るには、前記図５や図７における連結具を、図８〜１０のように直結型にすることが好適である。
図８においては、連結具７が、正面ハート状ないし卵状をなし外周に溝７００を形成したシンブル体７０の面部にＵ状片７１の基端部を接合して一体化しており、シンブル体７０とＵ状片７１はチタンなどの耐食金属で構成されている。
【００２４】
図９の連結具７においては、正面円形状をなし外周に溝７００を形成したシンブル体７０の面部にＵ状片７１の基端部を接合一体化して実質的にリングを形成しており、シンブル体７０とＵ状片７１はチタンなどの耐食金属で構成されている。この態様は、シンブル形状が単純であるため加工が容易で、コストの低減を図れる利点がある。
【００２５】
図１０の連結具７は、直結タイプではあるが、シンブル体とＵ状片が一体でなく組み立て型としており、すなわち中心にボス付きの軸穴７０１を有し外周に溝７００を貫設したシンブル体７０’と、シンブル体７０’の軸穴７０１を貫通した軸部材(ボルト)７２で連結されるシャックル７１’とからなっており、シンブル体７０’とシャックル７１’は、ともにチタンなどの耐食金属で作られるか、あるいは、シャックル７１’と軸部材７２がチタンなどの耐食金属で、シンブル体７０’が合成樹脂でそれぞれ作られる。
【００２６】
こうした直結型の連結具７においては、ロープの端末がフリーな状態で直接シンブル体７０の溝７００に沿って装着され、溝から離れた端末を手前のロープ部分と所望の手法で定着してアイを作ればよい。  図１０の形態では、シンブ体７０’が独立しているので、アイを形成しておいたロープ端末をシンブル体７０’の溝に嵌め、その状態でシンブル体７０’にシャックル７１’を交合して軸部材７２と連結することもできる。
【００２７】
図示するものはあくまでも本考案の数例であり、他の種々の構成をとりえる。
１）切離し手段１０のフック１１の開作動源はガスに限らず、メカニカルな力であってもよい。
２）位置検出兼切離し装置５は必ずしも単一である場合に限定されず、図１１(ａ)のように複数基の位置検出兼切離し装置５，５を直列状に使用したり、同図(ｂ)のように複数基の位置検出兼切離し装置５，５を並列状に使用してもよい。この構成によれば、位置測定と切離しの作動確度を高めることができる。
なお、かかる態様でのロープの接続は、前記した各態様から選択することができる。
【００２８】
本考案においては、陸上あるいは作業船上でアンカー３、位置検出兼切離し装置５、浮体６、浮力体２、礁体１をそれぞれ連結具と係留ロープ系４で一連につないで中層浮魚礁システムを構成し、沖合いの設置予定海域で、礁体１、浮力体２、浮体６、位置検出兼切離し装置５を順次海面上に繰り出し、最後にアンカー３を投入して海底まで自由落下させるものであり、図１(ａ)のように、礁体１は、海面下２０〜３００ｍの範囲に保持される。
【００２９】
こうして、設置が行なわれたときに、作業船の制御器８から、超音波信号を発信する。すなわち、指令回路、変調器、送信回路を介してトランスディューサ９から超音波信号を発射する。この超音波信号は海中を伝播し、位置検出兼切離し装置５のトランスディューサ１９で受信され、受信回路で電気信号に変換されて制御回路に送られる。
ここで信号の種別が判定され、切離し指令信号でないと判断されると、送信回路とトランスディューサ１９を介して位置検出兼切離し装置５から測定のための超音波信号が発射される。
【００３０】
これをトランスディューサ９で受信して往復伝搬時間を求めることで距離を測定することができ、作業船が３箇所移動してそれぞれ計測し、制御器８のコンピュータとＧＰＳ情報から位置を演算することでアンカー３が無事に着底されたかどうかを自動的に確認することができ、この位置を記録しておくことにより、定期的に設置状態の異常の有無を確認できる。
【００３１】
このようにして設置された後、耐用年数が経過し撤去が必要になった時には、前記のように制御器８から位置検出兼切離し装置５に切離し用に選定された周波数で超音波信号を発射する。この超音波信号は電気信号に変換されて制御回路に送られ、ここで信号の種別が判定され切離し信号であることが確認されると、制御回路から駆動信号が出されて電源から切離し部１０に電力が供給される。
【００３２】
この例ではガス発生剤１８ｂに通電されることにより反応が起こって窒素などのガスがプランジャ１６に向けて発射され、プランジャ１６が押し下げられる。これでストッパ１７がプランジャの小径部に臨むためフリーとなり、ガスがストッパの隙間を通って固定ピン１５の頭部に作用するため固定ピン１５が押し上げられ、先端がフック基端部の係合穴１１０から抜ける。
【００３３】
これでフック１１のロック状態が解除され、それより下方のロープやアンカーの重量によってフック１１が傾転することにより、吊られている連結具がフック１１からはずれる。これにより、浮体６と浮力体２の浮力で礁体１、浮体６および位置検出兼切離し装置５が一連に連なった系全体が海面に浮上するので、安全に回収することができ、、図１(ｂ)のように、海底にはアンカー３と下端ロープ４Ａ(４Ｂ)が残るだけであるため、環境を悪化させず、省資源を達成できる。
【産業上の利用可能性】
【００３４】
本考案は大深度の中層型浮魚礁として効果的である。
【図面の簡単な説明】
【００３５】
【図１】本考案による中層型浮魚礁の設置状態を示す全体図、(ｂ)は切り離し時の状態を示す全体図である。
【図２】本考案における切離し装置の切離し部を例示する断面図である。
【図３】制御器の系統図である。
【図４】切り離し装置の系統図である。
【図５】本考案の係留系の下部領域を例示する説明図である。
【図６】防食器取付け部分の断面図である。
【図７】本考案における係留系の下部領域の他例を示す説明図である。
【図８】(ａ)は本考案における連結具を示す正面図、（ｂ）は同じく側面図である。
【図９】(ａ)は本考案における連結具の他例を示す正面図、（ｂ）は同じく側面図である。
【図１０】本考案における連結具の他例を示す側面図である。
【図１１】(ａ)、(ｂ)は本考案におけるアンカーと切り離し装置の他の連結例を示す側面図である。
【符号の説明】
【００３６】
１  礁体
３  アンカー  
４  係留系
４Ａ、４Ｂ  下端ロープ
４Ｃ  中間ロープ
５  位置検出兼切離し装置  
６  浮体
７、7Ａ〜7Ｇ  連結具
１０  切離し部  
１１  フック
【図１】
0003101433.tif 000003
【図２】
0003101433.tif 000004
【図３】
0003101433.tif 000005
【図４】
0003101433.tif 000006
【図５】
0003101433.tif 000007
【図６】
0003101433.tif 000008
【図７】
0003101433.tif 000009
【図８】
0003101433.tif 000010
【図９】
0003101433.tif 000011
【図１０】
0003101433.tif 000012
【図１１】
0003101433.tif 000013